(57)【要約】【課題】  ドアが開状態であるにも関わらず当該ドアの全閉位置検出信号及び施錠検出信号の双方が何らかの原因で出力された場合に、当該ドアを閉状態とすることができ、これによってドアが開状態のまま車両が走行するといった危険を回避すること。【解決手段】  入力電流検出装置３１によって電源２１から電力変換部１２への入力電流検出値Ｓ８を検出し、閉状態信号確認部３２によって全閉位置検出信号Ｓ５及び施錠検出信号Ｓ６の双方が入力された際に、入力電流検出値Ｓ８が、ドア１の施錠動作時に電源２１から流れる入力電流検出値Ｓ８を予め設定した設定値Ｅ１を超えた際に、リニアモータ２ヘの電力供給の停止を指示するドア閉状態検出信号Ｓ７を、運転指令演算部１１へ出力する。【選択図】      図１
2006188892.tif 000002
【特許請求の範囲】
【請求項１】
モータで駆動されるドアの開閉時のみ電源からの電力を変換してモータに供給し、ドアの全閉及び施錠状態の検出時にモータヘの電力供給を停止する変換制御手段を有するドア駆動制御装置において、
前記電源から変換制御手段への入力電流値を検出する検出手段と、
前記全閉及び施錠状態の検出時に、前記検出手段で検出される入力電流値が、前記ドアの施錠動作時に前記電源から流れる入力電流値を予め設定した設定値を超えた際に、前記モータヘの電力供給の停止を指示する信号を、前記変換制御手段へ出力する確認手段と
を備えたことを特徴とするドア駆動制御装置。
【請求項２】
モータで駆動されるドアの開閉時のみ電源からの電力を変換してモータに供給し、ドアの全閉及び施錠状態の検出時にモータヘの電力供給を停止する変換制御手段を有するドア駆動制御装置において、
前記変換制御手段から前記モータへの出力電流値を検出する検出手段と、
前記全閉及び施錠状態の検出時に、前記検出手段で検出される出力電流値が、前記ドアの施錠動作時に前記モータへ出力される出力電流値を予め設定した設定値を超えた際に、前記モータヘの電力供給の停止を指示する信号を、前記変換制御手段へ出力する確認手段と
を備えたことを特徴とするドア駆動制御装置。
【請求項３】
モータで駆動されるドアの開閉時のみ電源からの電力を変換してモータに供給し、ドアの全閉及び施錠状態の検出時にモータヘの電力供給を停止するドア駆動制御方法において、
前記電源から変換制御手段への入力電流値を検出する第１のステップと、
前記全閉及び施錠状態の検出時に、前記第１のステップで検出される入力電流値が、前記ドアの施錠動作時に前記電源から流れる入力電流値を予め設定した設定値を超えた際に、前記モータヘの電力供給を停止する第２のステップと
を含むことを特徴とするドア駆動制御方法。
【請求項４】
モータで駆動されるドアの開閉時のみ電源からの電力を変換してモータに供給し、ドアの全閉及び施錠状態の検出時にモータヘの電力供給を停止するドア駆動制御方法において、
前記変換制御手段から前記モータへの出力電流値を検出する第１のステップと、
前記全閉及び施錠状態の検出時に、前記第１のステップで検出される出力電流値が、前記ドアの施錠動作時に前記モータへ出力される出力電流値を予め設定した設定値を超えた際に、前記モータヘの電力供給を停止する第２のステップと
を含むことを特徴とするドア駆動制御方法。
【発明の詳細な説明】
【技術分野】
【０００１】
本発明は、電車等において電動機で開閉が行われる車両ドアの開閉駆動を制御するドア駆動制御装置及びドア駆動制御方法に関する。
【背景技術】
【０００２】
鉄道や自動車などの乗客乗降用の自動開閉ドアでは、通常、電力消費の抑制やドア駆動用モータの焼損保護、走行中の誤動作の防止といった観点から、ドア開閉時のみ、ドア駆動用モータヘ電力を供給してドアを駆動し、それ以外のドアが閉まっている時は、ロックピンなどの施錠装置を用いて機械的に施錠し、ドア駆動用モータヘの電力の供給を停止している（非特許文献１）。
【０００３】
鉄道や自動車などの移動体においては、乗降用のドアが開いたまま走行すると、車内の乗客や乗員が車外に落下する危険がある。このため、通常、運転台にある車両状態監視装置によって、次に説明するようなインターロックを掛けている。即ち、ドアが全閉位置にあることを検出する全閉位置検出センサの出力信号と、ドアが施錠されていることを検出する施錠検出センサの出力信号との双方が、車両全てのドア駆動制御装置から出力されていることが車両状態監視装置において確認できないと、車両が走行できないようにインターロックをかけている。
【０００４】
図５は、従来のドア駆動制御装置の構成を示す図である。
ドア駆動制御装置１０は、運転指令演算部１１と、電力変換部１２と、閉状態信号検出部１３と、通信インタフェース部１４とを備えて構成されており、車体２０の電源２１と、リニアモータ２と、位置検出器５と、施錠検出センサ８と、全閉位置検出センサ６と、車両状態監視装置２２とに接続されている。
【０００５】
電源２１は、車体２０に配置されており、リニアモータ２は、ドア１に配設された連結部３に可動部が接続されてドア１を開閉駆動する。位置検出器５は、リニアモータ２の可動部の位置及び速度を検出して得たドア動作検出値Ｓ３を運転指令演算部１１へ出力する。
全閉位置検出センサ６は、ドア１が完全に閉じたことを検出して得た全閉位置検出信号Ｓ５を閉状態信号検出部１３へ出力する。施錠検出センサ８は、ドア１を機械的に固定するための施錠装置７の施錠（閉）を検出して得た施錠検出信号Ｓ６を閉状態信号検出部１３へ出力する。
【０００６】
また、電力変換部１２とリニアモータ２とを接続するＵ，Ｖ，Ｗ相の三相配線のうちＵ，Ｗ相には、出力電流検出装置４が接続されており、この出力電流検出装置４でＵ相電流及びＷ相電流が検出されて得られる出力電流検出値Ｓ４が、運転指令演算部１１へ入力されるようになっている。
このような各検出値及び検出信号が入力されるドア駆動制御装置１０によるドア１の駆動制御の動作を、図６に示すタイミングチャートを参照して説明する。
【０００７】
運転指令演算部１１は、運転台の車両状態監視装置２２から通信インタフェース部１４を介して、時刻ｔ０から所定の時定数で立ち上がって「Ｈ」レベルとなるドア動作指令値Ｓ２が入力されると、電力変換部１２が通電を行うように制御し、これによって出力電流検出装置４で得られる出力電流検出値Ｓ４と、位置検出部５で得られたドア動作検出値Ｓ３とを用いてドア速度のフィードバック制御を行う。但し、出力電流検出値Ｓ４は、時刻ｔ０後の最初の通電時に一旦立ち上がったのち立下り、フィードバック制御時にドア動作指令値Ｓ２に応じたレベル値で安定する。
そのフィードバック制御に応じて電力変換部１２が電源２１の電力を変換し、この変換した電力による通電でリニアモータ２の駆動制御を行う。そして、その制御に応じたリニアモータ２の駆動によってドア１が、時刻ｔ０以降にドア位置実際値Ｓ１で示すように全開から全閉に向かって動作する。
【０００８】
次に、前述したインターロックが掛かる場合と、解除される場合の動作を説明する。
閉状態信号検出部１３に対して、時刻ｔ１において全閉位置検出センサ６から全閉位置検出信号Ｓ５が出力されると共に、施錠検出センサ８から施錠検出信号Ｓ６が出力されたとする。この場合、閉状態信号検出部１３は、双方の信号Ｓ５，Ｓ６が入力された状態なので、ドア閉状態検出信号Ｓ７を運転指令演算部１１へ出力する。これによって、運転指令演算部１１は、出力電流検出値Ｓ４が時刻ｔ２において０となるように制御（通電停止制御）する。つまり、出力電流検出値Ｓ４は、ドア１の全閉及び施錠に応じて時刻ｔ１とｔ２間に示すように瞬時に立ち上がって高レベル値となるが、運転指令演算部１１の通電停止制御によって０となる。言い換えれば、ドア１の全閉及び施錠状態となると一定時間後にリニアモータ２への通電が停止される。
【０００９】
これと同時に、全閉位置検出信号Ｓ５及び施錠検出信号Ｓ６は、通信インタフェース部１４を介して車両状態監視装置２２へ送信される。車両状態監視装置２２は、それらの信号Ｓ５，Ｓ６を受信すると、車両走行を不可能とするインターロックを解除する。この解除をモニタで確認した運転士は、更にモニタでドア１の閉状態を確認し、列車を運行させる。
【００１０】
一方、全閉位置検出信号Ｓ５及び施錠検出信号Ｓ６の何れか一方のみしか閉状態信号検出部１３へ出力されない場合、インターロックは解除されない。
また、全閉位置検出信号Ｓ５及び施錠検出信号Ｓ６の何れか一方のみが閉状態信号検出部１３へ出力された状態が一定時間以上継続すると、閉状態信号検出部１３が故障状態として閉状態検出センサ異常信号を、通信インタフェース部１４を介して車両状態監視装置２２へ出力する。この場合、運転士が該当ドア１を締切り扱いとし、車両走行のインターロックを解除した後、列車を運行させる。このように、車両のドア１が開くことのない状態であることを、複数の手段により確認することによって安全な車両走行を行っている。
【非特許文献１】リニアモータを用いた鉄道車両用ドア駆動システム、平成１５年電気学会産業応用部門大会予稿集３−６６、２００３年ｐｐ．ｍ２９７−ｍ２９８
【発明の開示】
【発明が解決しようとする課題】
【００１１】
しかし、従来のドア駆動制御装置においては、ドア１が開いている状態、例えば図７の時刻ｔ２以降に示すようにドア閉状態検出信号Ｓ７のレベルが全開と全閉との中間にある状態で、全閉位置検出信号Ｓ５及び施錠検出信号Ｓ６の双方が誤作動又は悪戯により出力された場合、閉状態信号検出部１３からドア閉状態検出信号Ｓ７が運転指令演算部１１へ出力されてしまう。このため、運転指令演算部１１が電源２１の通電を停止するので、ドア１が開状態のままで停止してしまう。
【００１２】
更に、その全閉位置検出信号Ｓ５及び施錠検出信号Ｓ６の双方は車両状態監視装置２２へも送信されるので、車両状態監視装置２２がドア閉状態と判断し、車両走行のインターロックを解除する。このためドア１が開状態のまま車両が走行してしまうので、走行中の車内から乗客が落下する等の危険が生じるという問題がある。
本発明は、このような課題に鑑みてなされたものであり、ドアが開状態であるにも関わらず当該ドアの全閉位置検出信号及び施錠検出信号の双方が何らかの原因で出力された場合に、当該ドアを閉状態とすることができ、これによってドアが開状態のまま車両が走行するといった危険を回避することができるドア駆動制御装置及びドア駆動制御方法を提供することを目的としている。
【課題を解決するための手段】
【００１３】
上記目的を達成するために、本発明の請求項１によるドア駆動制御装置は、モータで駆動されるドアの開閉時のみ電源からの電力を変換してモータに供給し、ドアの全閉及び施錠状態の検出時にモータヘの電力供給を停止する変換制御手段を有するドア駆動制御装置において、前記電源から変換制御手段への入力電流値を検出する検出手段と、前記全閉及び施錠状態の検出時に、前記検出手段で検出される入力電流値が、前記ドアの施錠動作時に前記電源から流れる入力電流値を予め設定した設定値を超えた際に、前記モータヘの電力供給の停止を指示する信号を、前記変換制御手段へ出力する確認手段とを備えたことを特徴とする。
【００１４】
この構成によれば、ドアが開状態であるにも関わらず当該ドアの全閉及び施錠状態の検出が何らかの原因で誤って検出された場合でも、ドアが実際に施錠される際の入力電流値が設定値を超えたことが確認されなければ、ドア開閉用のモータヘの電力供給が停止されないようにした。従って、ドアの全閉及び施錠状態の誤検出が生じても、ドアはそのまま閉動作を行うので、ドアを開状態のまま停止させることなく、完全に閉状態とすることができる。
【００１５】
また、本発明の請求項２によるドア駆動制御装置は、モータで駆動されるドアの開閉時のみ電源からの電力を変換してモータに供給し、ドアの全閉及び施錠状態の検出時にモータヘの電力供給を停止する変換制御手段を有するドア駆動制御装置において、前記変換制御手段から前記モータへの出力電流値を検出する検出手段と、前記全閉及び施錠状態の検出時に、前記検出手段で検出される出力電流値が、前記ドアの施錠動作時に前記モータへ出力される出力電流値を予め設定した設定値を超えた際に、前記モータヘの電力供給の停止を指示する信号を、前記変換制御手段へ出力する確認手段とを備えたことを特徴とする。
【００１６】
この構成によれば、ドアが開状態であるにも関わらず当該ドアの全閉及び施錠状態の検出が何らかの原因で誤って検出された場合でも、ドアが実際に施錠される際のモータへの出力電流値が設定値を超えたことが確認されなければ、ドア開閉用のモータヘの電力供給が停止されないようにした。従って、ドアの全閉及び施錠状態の誤検出が生じても、ドアはそのまま閉動作を行うので、ドアを開状態のまま停止させることなく、完全に閉状態とすることができる。
【００１７】
また、本発明の請求項３によるドア駆動制御方法は、モータで駆動されるドアの開閉時のみ電源からの電力を変換してモータに供給し、ドアの全閉及び施錠状態の検出時にモータヘの電力供給を停止するドア駆動制御方法において、
前記電源から変換制御手段への入力電流値を検出する第１のステップと、
前記全閉及び施錠状態の検出時に、前記第１のステップで検出される入力電流値が、前記ドアの施錠動作時に前記電源から流れる入力電流値を予め設定した設定値を超えた際に、前記モータヘの電力供給を停止する第２のステップとを含むことを特徴とする。
【００１８】
この方法によれば、ドアが開状態であるにも関わらず当該ドアの全閉及び施錠状態の検出が何らかの原因で誤って検出された場合でも、ドアが実際に施錠される際の入力電流値が設定値を超えたことが確認されなければ、ドア開閉用のモータヘの電力供給が停止されないようにした。従って、ドアの全閉及び施錠状態の誤検出が生じても、ドアはそのまま閉動作を行うので、ドアを開状態のまま停止させることなく、完全に閉状態とすることができる。
【００１９】
また、本発明の請求項４によるドア駆動制御方法は、モータで駆動されるドアの開閉時のみ電源からの電力を変換してモータに供給し、ドアの全閉及び施錠状態の検出時にモータヘの電力供給を停止するドア駆動制御方法において、前記変換制御手段から前記モータへの出力電流値を検出する第１のステップと、前記全閉及び施錠状態の検出時に、前記第１のステップで検出される出力電流値が、前記ドアの施錠動作時に前記モータへ出力される出力電流値を予め設定した設定値を超えた際に、前記モータヘの電力供給を停止する第２のステップとを含むことを特徴とする。
【００２０】
この方法によれば、ドアが開状態であるにも関わらず当該ドアの全閉及び施錠状態の検出が何らかの原因で誤って検出された場合でも、ドアが実際に施錠される際のモータへの出力電流値が設定値を超えたことが確認されなければ、ドア開閉用のモータヘの電力供給が停止されないようにした。従って、ドアの全閉及び施錠状態の誤検出が生じても、ドアはそのまま閉動作を行うので、ドアを開状態のまま停止させることなく、完全に閉状態とすることができる。
【発明の効果】
【００２１】
以上説明したように本発明は、ドアが開状態であるにも関わらず当該ドアの全閉位置検出信号及び施錠検出信号の双方が何らかの原因で出力された場合に、当該ドアを閉状態とすることができ、これによってドアが開状態のまま車両が走行するといった危険を回避することができるという効果がある。
【発明を実施するための最良の形態】
【００２２】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係るドア駆動制御装置の構成を示すブロック図である。
図１に示すドア駆動制御装置３０が、図５に示した従来のドア駆動制御装置１０と異なる点は、電源２１と電力変換部１２との間に入力電流検出装置（検出手段）３１を接続し、閉状態信号検出部１３に代え、閉状態信号確認部（確認手段）３２を用いた点にある。なお、電力変換部１２及び運転指令演算部１１にて変換制御手段が構成される。
入力電流検出装置３１は、電源２１から電力変換部１２への入力電流を検出することによって入力電流検出値Ｓ８を得る。
【００２３】
閉状態信号検出部１３は、全閉位置検出信号Ｓ５及び施錠検出信号Ｓ６に加え、入力電流検出値Ｓ８が入力された場合に、ドア閉状態検出信号Ｓ７を運転指令演算部１１へ出力する。但し、入力電流検出値Ｓ８は、前述で説明した出力電流検出値Ｓ４と対応関係にある。
このようにした理由を説明する。ドア１を全閉として施錠する場合、施錠をスムーズに行うため、全閉位置でドア１を更に閉方向に押し付けている。この押し付け時には、ドア動作指令値Ｓ２に含まれる速度指令値と、ドア動作検出値Ｓ３に含まれる速度検出値との速度偏差が増加して推力が増加するため、これに伴い電力変換器１２の入力電流も増加する。
【００２４】
従って、その電力変換部１２への入力電流検出値Ｓ８を閉状態信号確認部３２で確認すれば、ドア１が押し付け動作中か否かを判断可能となる。
このことから、ドア１が押し付け動作中の場合の入力電流検出値Ｓ８を検出しておき、この値を閉状態信号確認部３２に設定値として設定しておく。この閉状態信号確認部３２において、全閉位置検出信号Ｓ５及び施錠検出信号Ｓ６の双方に加えて入力電流検出値Ｓ８が入力され、この入力電流検出値Ｓ８が設定値以上となった場合に、ドア１が全閉で施錠状態となったと判断し、ドア閉状態検出信号Ｓ７を出力するようにした。
【００２５】
このような構成のドア駆動制御装置３０によるドア駆動制御の動作を、図２に示すタイミングチャートを参照して説明する。
車両状態監視装置２２から通信インタフェース部１４を介して運転指令演算部１１に対して、時刻ｔ０から所定の時定数で立ち上がって「Ｈ」レベルとなるドア動作指令値Ｓ２が入力されたとする。
【００２６】
この場合、運転指令演算部１１によって、電力変換部１２が通電を行うように制御される。この制御によって、出力電流検出装置４で得られる出力電流検出値Ｓ４と、位置検出部５で得られたドア動作検出値Ｓ３とが運転指令演算部１１に入力されるので、運転指令演算部１１が、それら信号Ｓ３，Ｓ４を用いてドア速度のフィードバック制御を行う。
この際、出力電流検出値Ｓ４に対応する入力電流検出値Ｓ８は、時刻ｔ０後の最初の通電時に一旦立ち上がったのち立下り、フィードバック制御時にドア動作指令値Ｓ２に応じたレベル値で安定する。
【００２７】
そのフィードバック制御に応じて電力変換部１２が電源２１の電力を変換し、この変換した電力による通電でリニアモータ２の駆動制御を行う。その制御に応じたリニアモータ２の駆動によってドア１が、時刻ｔ０以降にドア位置実際値Ｓ１で示すように全開から全閉に向かって動作する。
次に、時刻ｔ１において、全閉位置検出センサ６から出力された全閉位置検出信号Ｓ５と、施錠検出センサ８から出力された施錠検出信号Ｓ６とが閉状態信号確認部３２へ入力されたとする。この際は、ドア１が全閉とされて施錠されるので、全閉位置でドア１が更に閉方向に押し付けられている。従って、入力電流検出値Ｓ８は、時刻ｔ１〜ｔ２間に示すように急激に立ち上がって増加して行く。
【００２８】
この増加する入力電流検出値Ｓ８が、時刻ｔ２〜ｔ３間に示すように設定値Ｅ１を超えると、既に全閉位置検出信号Ｓ５及び施錠検出信号Ｓ６の双方が入力されている閉状態信号確認部３２は、ドア閉状態検出信号Ｓ７を運転指令演算部１１へ出力する。
これによって、運転指令演算部１１は、時刻ｔ２から一定時間後の時刻ｔ３において、出力電流検出値Ｓ４（入力電流検出値Ｓ８の波形参照）が０となるように制御（通電停止制御）する。これによって、リニアモータ２への通電が停止される。
【００２９】
これと同時に、全閉位置検出信号Ｓ５及び施錠検出信号Ｓ６は、通信インタフェース部１４を介して車両状態監視装置２２へ送信される。車両状態監視装置２２は、それらの信号Ｓ５，Ｓ６を受信すると、車両走行を不可能とするインターロックを解除する。この解除をモニタで確認した運転士は、更にモニタでドア１の閉状態を確認し、列車を運行させる。
【００３０】
次に、図３のタイミングチャートを参照する。ドア１が開いている状態で、時刻ｔ１において、全閉位置検出信号Ｓ５及び施錠検出信号Ｓ６の双方が誤作動又は悪戯により出力されたとする。この場合、ドア１の押し付け動作は行われていないので、入力電流検出値Ｓ８は設定値Ｅ１を超えない。従って、閉状態信号確認部３２からドア閉状態検出信号Ｓ７が出力されないので、運転指令演算部１１は、電力変換部１２の通電を停止せず、ドア１を閉じる制御を継続する。
【００３１】
この制御によって、ドア１が全閉となって施錠動作が開始されると、入力電流検出値Ｓ８が上昇し、この上昇によって時刻ｔ２に示すように設定値Ｅ１を超えると、閉状態信号確認部３２は、ドア閉状態検出信号Ｓ７を運転指令演算部１１へ出力する。これによって、運転指令演算部１１が、時刻ｔ２から一定時間後の時刻ｔ３において通電停止制御を行い、リニアモータ２への通電が停止される。
【００３２】
このように、第１の実施の形態のドア駆動制御装置３０によれば、入力電流検出装置３１によって電源２１から電力変換部１２への入力電流検出値Ｓ８を検出し、閉状態信号確認部３２によって全閉位置検出信号Ｓ５及び施錠検出信号Ｓ６の双方が入力された際に、入力電流検出値Ｓ８が、ドア１の施錠動作時に電源２１から流れる入力電流検出値Ｓ８を予め設定した設定値Ｅ１を超えた際に、リニアモータ２ヘの電力供給の停止を指示するドア閉状態検出信号Ｓ７を、運転指令演算部１１へ出力するようにした。
【００３３】
これによって、ドア１が開状態であるにも関わらず当該ドア１の全閉位置検出信号Ｓ５及び施錠検出信号Ｓ６の双方が何らかの原因で出力された場合でも、当該ドア１を開状態のまま停止させることなく完全に閉状態とすることができる。これによってドア１が開状態のまま車両が走行してしまい、走行中の車内から乗客が落下する等の危険を回避することができる。
【００３４】
（第２の実施の形態）
図４は、本発明の第２の実施の形態に係るドア駆動制御装置の構成を示すブロック図である。
図４に示すドア駆動制御装置４０が、図１に示した第１の実施の形態のドア駆動制御装置３０と異なる点は、入力電流検出装置３１に代え、出力電流検出値Ｓ４の実効値を求める出力電流実効値演算部（検出手段）４１を備え、閉状態信号確認部（確認手段）４２が、全閉位置検出信号Ｓ５及び施錠検出信号Ｓ６に加え、出力電流検出値Ｓ４の実効値が上述で説明した設定値Ｅ１を越えた際に、ドア閉状態検出信号Ｓ７を運転指令演算部１１へ出力するようにしたことにある。
【００３５】
このような構成のドア駆動制御装置４０においても、ドア閉状態検出信号Ｓ７の出力条件である入力電流検出値Ｓ８が、出力電流検出値Ｓ４の実効値に置き換わっただけで、上記第１の実施の形態で説明したと同様の効果を得ることができる。
即ち、閉状態信号確認部４２に、全閉位置検出信号Ｓ５及び施錠検出信号Ｓ６の双方が入力され、この際に、ドア１の施錠動作に応じてドア１が更に閉方向に押し付けられて、出力電流検出値Ｓ４の実効値が急激に立ち上がって増加し、設定値Ｅ１を超えると、閉状態信号確認部４２からドア閉状態検出信号Ｓ７が運転指令演算部１１へ出力される。これによって、運転指令演算部１１が、一定時間後に出力電流検出値Ｓ４が０となるように制御してリニアモータ２への通電が停止される。
【００３６】
また、ドア１が開いている状態で、全閉位置検出信号Ｓ５及び施錠検出信号Ｓ６の双方が誤作動又は悪戯により出力された場合、ドア１の押し付け動作は行われていないので、出力電流検出値Ｓ４の実効値は設定値Ｅ１を超えない。従って、閉状態信号確認部４２からドア閉状態検出信号Ｓ７が出力されないので、運転指令演算部１１は、電力変換部１２の通電を停止せず、ドア１を閉じる制御を継続する。
【００３７】
この制御によって、ドア１が全閉となって施錠動作が開始されると、出力電流検出値Ｓ４が上昇し、この上昇によって出力電流検出値Ｓ４の実効値が設定値Ｅ１を超えると、閉状態信号確認部３２が、ドア閉状態検出信号Ｓ７を出力する。これによって、運転指令演算部１１が一定時間後に通電停止制御を行い、リニアモータ２への通電が停止される。
このように、第２の実施の形態のドア駆動制御装置３０においても、上記第１の実施の形態と同様の効果を得ることができる。
【図面の簡単な説明】
【００３８】
【図１】本発明の第１の実施の形態に係るドア駆動制御装置の構成を示すブロック図である。
【図２】上記実施の形態に係るドア駆動制御装置によるドア駆動制御の動作を説明するためのタイミングチャートである。
【図３】上記実施の形態に係るドア駆動制御装置によって、ドア開状態にて全閉位置検出信号及び施錠検出信号の双方が不適正に出力された際のドア駆動制御の動作を説明するためのタイミングチャートである。
【図４】本発明の第２の実施の形態に係るドア駆動制御装置の構成を示すブロック図である。
【図５】従来のドア駆動制御装置の構成を示すブロック図である。
【図６】従来のドア駆動制御装置によるドア駆動制御の動作を説明するためのタイミングチャートである。
【図７】従来のドア駆動制御装置によって、ドア開状態にて全閉位置検出信号及び施錠検出信号の双方が不適正に出力された際のドア駆動制御の動作を説明するためのタイミングチャートである。
【符号の説明】
【００３９】
１  ドア
２  リニアモータ
３  連結部
４  出力電流検出装置
５  位置検出器
６  全閉位置検出センサ
７  施錠装置
８  施錠検出センサ
１１  運転指令演算部
１２  電力変換部
１４  通信インタフェース部
２０  車体
２１  電源
２２  車両状態監視装置
３０，４０  ドア駆動制御装置
３１  入力電流検出装置
３２，４２  閉状態信号確認部
４１  出力電流実効値演算部
Ｓ１  ドア位置実際値
Ｓ２  ドア動作指令値
Ｓ３  ドア動作検出値
Ｓ４  出力電流検出値
Ｓ５  全閉位置検出信号
Ｓ６  施錠検出信号
Ｓ７  ドア閉状態検出信号
Ｓ８  入力電流検出値
Ｅ１  設定値
【図１】
2006188892.tif 000003
【図２】
2006188892.tif 000004
【図３】
2006188892.tif 000005
【図４】
2006188892.tif 000006
【図５】
2006188892.tif 000007
【図６】
2006188892.tif 000008
【図７】
2006188892.tif 000009